(57)【要約】      （修正有）【課題】リモコンモードの設定が間違っていることをユーザが即座に把握できるようにする。【解決手段】放送受信録画装置１は、リモートコントローラ３０から送信されるコントロール信号のリモコンモードが、自身に設定されている応答リモコンモードと一致していない場合には、本体の表示部２９に対して、自身に設定されている応答リモコンモードが何であるのかを示す表示を一定時間実行させるようにする。【選択図】図１
2007074515.tif 000002
【特許請求の範囲】
【請求項１】
リモートコントロール装置から送信されるコントロール信号のモードを設定するモード設定手段と、
上記コントロール信号を受信する受信手段と、
上記受信手段が受信したコントロール信号のモードが、上記モード設定手段により設定されたモードであるか否かを判別するモード判別手段と、
上記モード判別手段により、上記受信手段が受信したコントロール信号のモードが、上記モード設定手段により設定されたモードであると判別された場合には、上記受信したコントロール信号の内容に応答した動作が実行されるように制御する応答手段と、
上記モード判別手段により、上記受信手段が受信したコントロール信号のモードが、上記モード設定手段により設定されたモードではないと判別された場合には、上記受信したコントロール信号の内容に応答した動作が応答手段により実行されないようにするとともに、上記モード設定手段により現在設定されているモードは、上記受信手段が受信したコントロール信号のモードではないことが認知されるように、所定の出力態様によって通知を行うようにされた制御手段と、
を備えることを特徴とするリモートコントロール対応電子機器。
【請求項２】
上記制御手段による上記通知は、上記モード設定手段により現在設定されているモードを通知するものである、
ことを特徴とする請求項１に記載のリモートコントロール対応電子機器。
【請求項３】
上記制御手段による上記通知は、リモートコントロール対応電子機器が所定の目的のために備える表示出力手段を制御して所定の態様による表示により行う、
ことを特徴とする請求項１に記載のリモートコントロール対応電子機器。
【発明の詳細な説明】
【技術分野】
【０００１】
本発明は、リモートコントロール装置から送信されるコントロール信号を受信して動作するようにされた電子機器に関するものである。
【背景技術】
【０００２】
近年では、多くの電子機器が、リモートコントロール装置により操作可能になっている。また、リモートコントローラは、電子機器の１台ごとに付属するようにされているのが通常である。このために、ユーザが使用する電子機器が増加していくごとにリモートコントロール装置も増加してしまうことの煩雑さが以前から問題となっている。そして、このための対策が、これまでにも提案され、また実用化されている。
【０００３】
【特許文献１】特開２０００−３０７９３０号公報
【発明の開示】
【発明が解決しようとする課題】
【０００４】
本願発明としても、上記したような問題を解決するものであり、そのうえでさらに、ユーザにとって良好な使い勝手などが感じられるように配慮することを目的とする。
【課題を解決するための手段】
【０００５】
そこで本発明は上記した課題を考慮して、リモートコントロール対応電子機器として次のように構成する。
つまり、リモートコントロール装置から送信されるコントロール信号のモードを設定するモード設定手段と、コントロール信号を受信する受信手段と、この受信手段が受信したコントロール信号のモードが、上記モード設定手段により設定されたモードであるか否かを判別するモード判別手段と、このモード判別手段により、受信手段が受信したコントロール信号のモードが、モード設定手段により設定されたモードであると判別された場合には、受信したコントロール信号の内容に応答した動作が実行されるように制御する応答手段と、モード判別手段により、受信手段が受信したコントロール信号のモードが、モード設定手段により設定されたモードではないと判別された場合には、受信したコントロール信号の内容に応答した動作が応答手段により実行されないようにするとともに、モード設定手段により現在設定されているモードは、受信手段が受信したコントロール信号のモードではないことが認知されるように、所定の出力態様によって通知を行うようにされた制御手段とを備えることとした。
【０００６】
上記構成によると、本願発明のリモートコントロール対応電子機器は、基本的には、リモートコントロール信号のモード設定が行われ、設定されたモードのコントロール信号にのみ応答して、これ以外のモードのコントロール信号には応答しないようにされる。
そのうえで、設定されたモード以外のコントロール信号を受信したときには、この受信したコントロール信号のモードが、現在自身に設定されているコントロール信号のモードとは異なることを示し得る態様により通知を行うようにされる。
【発明の効果】
【０００７】
これにより、リモートコントロール装置を操作しているユーザは、リモートコントロール装置側から送信しているコントロール信号のモードが、操作対象にしている電子機器にて設定されているモードと一致していないことを知ることができる。このようにして、リモートコントロール対応電子機器を利用するユーザにとっての利便性、使用感が高められることになる。
【発明を実施するための最良の形態】
【０００８】
図１は、本発明の実施の形態としてのリモートコントロール対応電子機器である、放送受信録画装置１の構成例を示している。放送受信録画装置１は、以下に説明する構成を採ることで、所定キャリアのテレビジョン放送を受信して得たテレビジョン放送番組としての映像（ビデオ）／音声（オーディオ）データを、ＨＤＤ（ハードディスク）に記録（録画）し、また、録画した番組の映像／音声データを再生出力することができる。
また、放送受信録画装置１が受信対象とする放送は、ここでは、デジタル放送であることとする。なお、実際の仕様として放送受信録画装置１が受信対象とする放送は、アナログ放送とデジタル放送の何れとされてもよい、あるいは、アナログ放送とデジタル放送の両者とされてもよい。
【０００９】
先ず、放送受信録画装置１に対してはアンテナ１０が接続されている。アンテナ１０では、デジタル放送波を受信して所定の高周波信号に変換して、デジタル放送受信機１に対して供給する。
【００１０】
なお、現状において、デジタルテレビジョン放送は、通信衛星又は放送衛星から放送信号を送出する衛星放送と、地上のアンテナから送出する地上波とが知られているが、本実施の形態の放送受信録画装置１としては、両者のいずれに対応する構成が採られてもよい。アンテナ１０は、デジタルテレビジョン放送として、衛星放送に対応する場合には、受信対象となる衛星の放送方式等に適合したパラボラアンテナとなり、地上波放送に対応する場合には、例えばＵＨＦアンテナとなる。
【００１１】
放送受信録画装置１においては、上記のようにしてアンテナ２０にて受信され、所定の周波数に変換された受信信号を、チューナ１１により入力する。
チューナ１１では、ＣＰＵ１６からバス２２を介して入力された、伝送諸元等を設定した設定信号に基づいて、この設定信号により決定されるキャリア（受信周波数）を抽出し、復調器１２に出力する。復調器１２では、入力されたキャリアの信号について、例えばビタビ復調処理や誤り訂正処理等を施すことで、ＴＳ（Transport Stream）を得るようにされる。
【００１２】
この場合におけるＴＳとしては、例えばＭＰＥＧ２(Moving Picture Experts Group Layer2)方式によって、複数のプログラム（番組）、チャンネルのビデオ（映像）信号及びオーディオ（音声）信号を圧縮した圧縮データと、各種の付加情報が多重化されているものとなる。必要に応じて、データ放送サービスのためのデータ放送用データも多重化されている。
【００１３】
上記したビデオ信号及びオーディオ信号を圧縮した圧縮データ、また、データ放送用データは、ＥＳ（Elementary Stream)として多重化される。また、放送側が挿入する付加情報としては、ＰＡＴ(Program Association Table)、ＰＭＴ(Program Map Table)などのテーブルを格納するＰＳＩ(Program Specific Information：番組特定情報）や、ＳＩ(Service Information:番組配列情報)などが挙げられる。
そして、上記情報の多重化は、ＴＳを所定バイトサイズのトランスポートストリーム・パケット（ＴＳパケット）により形成するようにして、このＴＳパケットに対して、上記したＥＳ及び各種付加情報を格納することにより行われる。
【００１４】
また、復調器１２では、ＴＳからＰＳＩ(Program Specific Information:番組特定情報)のパケットを取得し、その選局情報を更新すると共に、ＴＳにおける各チャンネルのコンポーネントＰＩＤ(Program ID)を得て、例えばＣＰＵ１６に対してバス２２を経由して伝送する。ＣＰＵ１６では、取得したＰＩＤを受信信号処理に利用することになる。
【００１５】
また、本実施の形態の構成においては、ＴＳとして取得されたデータについてスクランブル（暗号）がかけられているときには、このスクランブルを解くためのスクランブル処理についても、復調器１２にて実行可能なようにされているものとする。
【００１６】
デマルチプレクサ１３は、ＣＰＵ１６により設定されたフィルタ条件に従って、復調器１２から供給されたＴＳから必要なＴＳパケットを分離する。これにより、例えばデマルチプレクサ１６においては、目的とする１つのプログラムについてのＴＳパケットとして、所定の符号化方式（例えばＭＰＥＧ２方式）により圧縮されたビデオデータのＴＳパケットと、圧縮されたオーディオデータのＴＳパケットを得ることになる。そして、このようにして得られた圧縮ビデオデータと圧縮オーディオデータを、それぞれ、ビデオデコーダ１４、オーディオデコーダ１５に対して出力する。
【００１７】
なお、デマルチプレクサ１３により分離された圧縮ビデオ／オーディオデータの個別パケットは、ＰＥＳ(Packetized Elementary Stream)と呼ばれる形式でそれぞれ、ビデオデコーダ１４とオーディオデコーダ１５とに入力されるようになっている。
また、上記したフィルタ条件の設定は、例えばデマルチプレクサ１３において、ＴＳに含まれるＰＡＴ、ＰＭＴなどを抽出して、ＣＰＵ１６にバス２２を介して転送するようにされる。そして、ＣＰＵ１６が、転送されてきたＰＡＴ、ＰＭＴなどに記述されている情報内容に基づいて、ＣＰＵ１６に対してフィルタ条件を設定するようにされる。
【００１８】
ビデオデコーダ１４においては、先ず、入力された圧縮ビデオデータについて、その圧縮符号化形式に応じたデコード（伸長）処理を実行する。そして、この伸長処理により得られたビデオデータについて、画質調整などをはじめとした所要の信号処理を実行する。
ビデオ信号処理部１７の出力であるビデオ信号は、この場合には、放送受信録画装置１と接続されるディスプレイ２６に入力される。
【００１９】
オーディオデコーダ１５では、入力された圧縮オーディオデータについて、その圧縮符号化形式に応じたデコード（伸長）処理を実行する。なお、この伸長処理は、ビデオデコーダ１４にて伸長処理が施されて出力されるビデオ信号の再生出力タイミングに同期するように、つまり、いわゆるリップシンクが保たれるようにして実行される。また、オーディオデコーダ１５は、上記伸長処理によって得られたオーディオ信号について、ゲイン調整、音質調整、音量調整、音響効果の付加などの所要の信号処理を必要に応じて実行する。この場合にオーディオデコーダ１５から出力されるオーディオ信号は、放送受信録画装置１と接続されるスピーカ２７に入力される。
なお、この図では、説明を簡単にするために、オーディオデコーダ１５から出力されるオーディオ信号の系を１系統により示しているが、実際には、Ｌ（左），Ｒ（右）ステレオに対応する２チャンネルのオーディオ信号の系とされてもよい。また、5.1chサラウンドなどの、所定のチャンネル構造による３チャンネル以上のマルチチャンネルに対応するオーディオ信号の系とされてもよい。
【００２０】
ディスプレイ２６は、所定のディスプレイデバイスを備えて成り、ビデオデコーダ１４から入力されるビデオ信号に基づいて表示駆動を実行することで、ビデオ信号の画像を表示出力する。
スピーカ２７は、オーディオデコーダ１５から入力されたオーディオ信号を増幅して音声として出力する。これにより、スピーカ２２からは、例えば、ディスプレイ２６にて表示される画像と同期した音声が出力される。
【００２１】
ＣＰＵ１６は、プログラムを実行することで、放送受信録画装置１の動作制御を実現するもので、他のハードウェアデバイスとバス２２を介して通信可能に接続されている。本実施の形態において、ＣＰＵ１６が実行するプログラムは、少なくとも、フラッシュメモリ１９、ＨＤＤ（ハードディスク）２１にて記憶保持されている。
【００２２】
ＲＡＭ１７は、揮発性のメモリ素子から成り、ＣＰＵ１６が処理を実行するための作業領域として利用され、例えばＣＰＵ１６の演算処理結果などが保持される。また、ＣＰＵ１６が実行すべきプログラムは、このＲＡＭ１７に展開される形式で保持されることで、実際のＣＰＵ１６によるプログラムの実行が可能となる。
【００２３】
この場合のＲＯＭ１８は、書き換えが不可のメモリ素子からなり、例えば、書き換えが不要のプログラム、各種の設定データなどが記憶される。
【００２４】
本実施の形態の放送受信録画装置１は、上記ＲＡＭ１７及びＲＯＭ１８の他に、不揮発性メモリを備えるものとする。不揮発性メモリとしては、いくつかの種類があり、何れを採用するのかについては特に限定されるべきではないが、ここではフラッシュメモリ１９を備えることとしている。
本実施の形態において、このフラッシュメモリ１９には、少なくとも、ＣＰＵ１６に実行させるべきプログラムや、書き換えが前提の各種設定情報などが記憶される。なお、フラッシュメモリ１９に対して、上記プログラムや設定情報以外の種類のデータを記憶させることについては特に制限はない。
【００２５】
また、本実施の形態の放送受信録画装置１は、少なくともユーザデータを記録再生可能な記憶デバイスとして、ＤＶＤドライブ２０、及びＨＤＤ２１を備える。
ＤＶＤドライブ２０は、リムーバブルの光学ディスク状記録媒体であるＤＶＤ(Digital Versatile Disc)２５を装填することができ、装填されたＤＶＤ２５に対してデータの記録再生を行うことが可能とされる。例えば本実施の形態の放送受信録画装置１では、テレビジョン放送を受信して取得した放送番組のビデオ／オーディオデータを、所定のデータ形式により記録することができる。
なお、ＤＶＤドライブ２１に代えて、例えばBlu-ray Disc(商標)などをはじめとするＤＶＤ以外の光学ディスク状記録媒体に対応するドライブを備えることとしてもよい。また、半導体メモリ素子を備えるリムーバブルの記憶媒体に対応したドライブを備えることも考えられる。
【００２６】
ＨＤＤ２１は、周知のようにして、記録媒体として磁気ハードディスクを備えて構成され、現状では大容量を容易に確保できる記憶デバイスとして広く普及している。本実施の形態の放送受信録画装置１において、ＨＤＤ２１には、ＣＰＵ１６の制御に従って、テレビジョン放送から受信取得した放送番組のビデオ／オーディオデータを所定のデータ形式により記録することができる。つまり、番組録画の機能を有する。さらに、ＣＰＵ１６に実行させるべきプログラムを記憶させることもできる。
【００２７】
例えば、ＨＤＤ２１に記録されている放送番組などのビデオ／オーディオデータを再生するときには、再生すべきビデオ／オーディオデータのファイルをＨＤＤ２１から読み出す。この場合のＨＤＤ２１に記録されているビデオ／オーディオデータは、圧縮符号化処理が施された形式であることとする。そこで、ＨＤＤ２１から読み出したビデオ／オーディオデータは、ＣＰＵ１６の制御により、バス２２を介して、それぞれビデオデコーダ１４、オーディオデコーダ１５に転送するようにされる。ビデオデコーダ１４、オーディオデコーダ１５では、先の説明のようにして、デコード（伸長）処理等を施して、リップシンクを保つようにしてビデオ信号、オーディオ信号を出力する。
なお、ＤＶＤ２５に記録されているビデオ／オーディオデータを再生する場合にも、ＤＶＤドライブ２０にてＤＶＤから読み出した圧縮符号化形式のビデオ／オーディオデータを、ビデオデコーダ１４、オーディオデコーダ１５によりデコードして、ビデオ信号、オーディオ信号として出力するようにされる。
【００２８】
また、このようにしてＨＤＤ２１とＤＶＤドライブ２０との２つの記憶装置（ドライブ）を備える構成では、例えばＨＤＤ２１に記憶されているビデオ／オーディオデータを、ＤＶＤドライブ２０に転送してＤＶＤ２５にコピー、あるいは移動させるようにして記憶させる、いわゆるダビング、若しくはムーブといわれる動作も可能とされている。このためには、例えばＣＰＵ１６の制御に応じて、ＨＤＤ２１から読み出させた所要のビデオ／オーディオデータを、バス２２を経由させてＤＶＤドライブ２０に転送する。ＤＶＤドライブ２０では、転送されてきたビデオ／オーディオデータを、装填されているＤＶＤ２５に書き込んでいくようにされる。このときに、ＤＶＤ２５に書き込んだ内容のビデオ／オーディオデータをＨＤＤ２１から消去せずに残しておけば、ダビング（コピー）の動作となり、消去させることとすれば、ムーブの動作となる。
【００２９】
この場合の操作部２３は、放送受信録画装置１の本体に対応して設けられる各種操作子と、これらの操作子に対して行われた操作に応じて操作情報信号を生成してＣＰＵ１６に出力する操作情報信号出力部とを一括して示している。
【００３０】
また、この場合の放送受信録画装置１は、リモートコントローラ（リモートコントロール装置）３０に対応して、コントール信号受信部２８を備える。リモートコントローラ３０は、各種操作子を備えており、操作子に対して行われた操作に応じてコマンドコードを生成する。そして、このコマンドコードを所定のキャリアにより変調するなどして送信信号（コントロール信号ともいう）を生成し、無線として送信出力する。
コントロール信号受信部２８では、上記のようにしてリモートコントローラ３０から送信されてきたコントロール信号を受信復調してコマンドコードを取得し、例えばＣＰＵ１６にわたすようにされる。ＣＰＵ１６では、このコマンドコードに応答した所要の動作制御を実行する。
ただし、本実施の形態では、後述するようにして、リモートコントローラ３０から送信出力するコントロール信号（コマンドコード）についてのモード切り換えが可能なようにされており、これに対応して、放送受信録画装置１側でのコントロール信号の受信応答動作としても、上記モード切り換えに対応した構成となる。
なお、この場合において、コントロール信号のキャリアについては特に限定しないが、例としては、赤外線、電波としての搬送波を挙げることができる。
【００３１】
この場合の表示部２９は、放送受信録画装置１の本体において、例えばフロントパネルなどのユーザが視認可能な位置に表示部位が表出するようにして設けられ、予め決められた内容の表示を、所定デザインのシンボル形成したセグメント（画素）の点灯や、セグメントをマトリクス配置したグリッドごとの画素選択による簡易な文字表示などにより行うようにされる。例えば、ＤＶＤドライブ２０に装填されたディスクが再生中若しくは記録中であれば、そのことを示すシンボルが点灯表示されると共に、例えば再生中のタイトル番号や再生時間などが表示される。また、この表示部２９に採用されるディスプレイデバイスとしては、特に限定されないが、例えばFL(Fluorescent Lamp)管などが適している。
【００３２】
ここで、図１に示したリモートコントローラ３０は、自身が送信出力するコントロール信号のモード切り換えを行うことができるようになっている。なお、以降において、このコントロール信号のモードについては、リモートコントローラを略した「リモコン」の語を用いて、リモコンモードということにする。
リモートコントローラ３０の場合には、ＤＶＤ１，ＤＶＤ２，ＤＶＤ３というモード名称が与えられた、３つのリモコンモードの間での切り換えが可能とされているものとする。なお、このモード名称によると、この場合のリモコンモードは、ＤＶＤのカテゴリに対応したものとなっている。放送受信録画装置１はＤＶＤドライブを備えており、実際の使用においても、リモートコントローラ３０による放送受信録画装置１に対する操作は、ＤＶＤの記録再生に関するものが多いことから、ここでは、放送受信録画装置１のカテゴリをＤＶＤ記録再生装置として扱っているものである。
【００３３】
図２は、リモートコントローラ３０に備えられる、リモコンモード切り換えのための操作子部分を抜き出して示している。
この図に示すリモコンモード切り換えのための操作子は、３ポジションの間でスライド移動するようにされたスライドスイッチ３０ａとされている。このスライドスイッチ３０ａのスライド位置に対応しては、リモコンモードＤＶＤ１，ＤＶＤ２，ＤＶＤ３の各数値を表す、１，２，３がそれぞれ示されている。
そして、スライドスイッチ３０ａについてリモコンモードＤＶＤ１を示す位置としている状態では、リモートコントローラ３０では、リモコンモードＤＶＤ１が設定される。同様にして、リモートコントローラ３０は、スライドスイッチ３０ａについてリモコンモードＤＶＤ２を示す位置としている状態では、リモコンモードＤＶＤ２が設定され、スライドスイッチ３０ａについてリモコンモードＤＶＤ３を示す位置としている状態では、リモコンモードＤＶＤ３が設定される。
リモートコントローラ３０では、設定されたリモコンモードごとに異なるコマンドコードによるコントロール信号を出力するようにされる。つまり、ユーザによるリモートコントローラ３０に対する操作が、例えばＤＶＤの再生を指示するものであるとしても、リモコンモードＤＶＤ１、ＤＶＤ２，ＤＶＤ３が設定されている場合で、それぞれ、異なるコマンドコードによるコントロール信号が送信出力される。
なお、図２の例はあくまでも一例であって、リモコンモード切り換えのための操作子をどのようなものとするのかについては、例えばロータリースイッチのようなものにするなど他にも考えることができる。
【００３４】
また、上記リモートコントローラ３０による操作対象となる放送受信録画装置１では、受信応答すべきリモコンモードを選択設定できるようにされている。このリモコンモードの選択設定は、ユーザ操作により行えるようになっている。つまり、ユーザは、リモートコントローラ３０又は操作部２３に対する所定操作により、自身が設定したいと思うリモコンモードを、リモコンモードＤＶＤ１、ＤＶＤ２，ＤＶＤ３のうちから選択したうえで、リモコンモードの設定実行を指示する操作を行う。この操作に応じて放送受信録画装置１側が受けつけたコマンドコード、操作情報信号に応じて、放送受信録画装置１にて、受信応答すべきリモコンモードを設定するようにされる。そして、このようにして受信応答すべきリモコンモードが設定された後は、放送受信録画装置１では、自身に設定されたリモコンモードに対応するコントロール信号（コマンドコード）を受信した場合のみ、その受信したコントロール信号に応答した動作を実行しないようにされる。
なお、以降においては、リモートコントローラ３０側にて設定されるリモコンモードを送信リモコンモード、また、放送受信録画装置１側にて設定されるリモコンモードを応答リモコンモードともいうことにして、両者にて設定されるリモコンモードについて区別する。
【００３５】
上記のようなリモコンモードの切り換え設定は、例えば次のようにして利用される。
ここで、例えば図３に示すようにして、図１に示したリモートコントローラ３０と、このリモートコントローラ３０により操作が可能な機器として、リモコン対応機器Ａ、Ｂの２台があることとする。本実施の形態との対応では、リモコン対応機器Ａ、Ｂの少なくとも何れか１つを放送受信録画装置１として用意することができる。
【００３６】
そして、この図においては、リモコン対応機器Ａの応答リモコンモードについてＤＶＤ１を設定し、リモコン対応機器Ｂの応答リモコンモードについてＤＶＤ２を設定している。また、リモートコントローラ３０の送信リモコンモードについてはＤＶＤ２を設定した状態にあるものとする。
【００３７】
この状態で、ユーザがリモートコントローラ３０に対して操作を行ったとすると、この操作に応じては、リモコンモードＤＶＤ２に対応したコントロール信号が送信出力されることになる。そして、このコントロール信号は、リモコン対応機器Ａ、Ｂにて受信されることになる。
しかしながら、リモコン対応機器Ａには応答リモコンモードとしてＤＶＤ１が設定されているので、この受信したコントロール信号に応答した動作は実行しないようにされる。これに対して、リモコン対応機器Ｂには応答リモコンモードとしてＤＶＤ２が設定されており、受信したコントロール信号のリモコンモードと一致していることから、このコントロール信号に応答した動作を実行するようにされる。
【００３８】
また、図３には示した状態から、例えばリモートコントローラ３０の送信リモコンモードについて、ＤＶＤ２からＤＶＤ１に設定の切り換えを行ったとする。なお、リモコン対応機器Ａ，Ｂ側の応答リモコンモードの変更はない。この状態からリモートコントローラ３０に対する操作を行えば、ＤＶＤモード１としてのコントロール信号が送信され、リモコン対応機器Ａ、Ｂにて受信されることになる。
すると、この場合には、上記とは逆に、応答リモコンモードとしてＤＶＤ１が設定されているリモコン対応機器Ａが、受信したコントロール信号に応答した動作を実行し、応答リモコンモードとしてＤＶＤ２が設定されているリモコン対応機器Ｂは、このコントロール信号に応答した動作を実行しない。
【００３９】
つまり、このようなリモコンモード切り換えの機能があることで、ユーザが、リモートコントローラ３０に対応して動作する電子機器（リモコン対応機器）を複数所有し、これらの機器を比較的近接しているような状況で使用している場合であっても、これらの機器ごとに異なる応答リモコンモードを設定しておきさえすれば、あとは、リモートコントローラ３０側の送信リモコンモードを切り換えることで、特定のリモコン対応機器を操作することが可能になる。つまり、１台のリモートコントローラにより、複数の機器を個々に操作できる。
【００４０】
ところで、例えばリモートコントローラ３０に対応した機器の１つである、本実施の形態の放送受信録画装置１は、設定された応答リモコンモードが、ＤＶＤ１，２，３の何れであるのかを定常的に表示する構成を有していない。
リモコンモードを定常的に表示する構成としては、例えば、表示部２９において、応答リモコンモードＤＶＤ１，２，３のそれぞれに対応するセグメントを設けて、設定されているリモコンモードに対応したセグメントを点灯させることが考えられる。あるいは、応答リモコンモードの切り換え設定については、放送受信録画装置１の本体に表出させるようにして設けたメカ的なスイッチの操作により行えるようにすることが考えられる。このようにすれば、スイッチの位置を見ることで、いつでもリモコンモードを知ることができる。
【００４１】
しかしながら、本実施の形態の放送受信録画装置１では、上記もしているように、リモコンモードを定常的に表示する構成は省略されている。つまり、放送受信録画装置１を見ても、応答リモコンモードが何に設定されているのかを知ることができない。
なお、このようにして、本実施の形態の放送受信録画装置１において、リモコンモードを定常的に表示する機能を省略したのは、コストダウンや、デザイン面などでの理由による。例えばリモコンモードごとに表示用セグメントを用意することとなれば、その分のコストアップになる。また、メカスイッチなどがパネル本体に表出している状態は、現状においてパネル面の美観を損なう要因として捉えられることがある。
【００４２】
ここで、例えば図３に示したリモコン対応機器Ａ，Ｂの何れも、放送受信録画装置１と同じく、リモコンモードを定常的に表示する構成を有さないものとする。そして、リモコン対応機器Ａ，Ｂがそれぞれ、図のとおりに応答リモコンモードとしてＤＶＤ１，２が設定されているのに対して、リモートコントローラ３０の送信リモコンモードがＤＶＤ３に設定されていたとする。
この状況で、例えばユーザが、リモートコントローラ３０の送信リモコンモードがＤＶＤ３に設定されていることには気付かずに、ＤＶＤ１，２のいずれかが設定されているものと思いこんで、リモコン対応機器Ａ，Ｂのいずれかを操作しようとして、リモートコントローラ３０に対する操作を行ったとする。この場合には、リモコン対応機器Ａ，Ｂの何れも、ユーザのリモートコントローラ３０に対する操作に応答した動作を行わない。このときに、リモートコントローラ３０の送信リモコンモードの設定が変わっているのではないかとユーザが気付けば、他の送信リモコンモードに切り換えてみるなどの対応を採ることができる。しかし、リモコン対応機器にて応答リモコンモードの設定を表示していない状況の下で、このことに気付かない場合には、ユーザは、リモートコントローラ３０若しくはリモコン対応機器が故障している、あるいはリモートコントローラ３０のバッテリ残量が無くなったなどと勘違いする可能性がでてくる。このような状況は、ユーザにいたずらに不安感を与えたり、また故障確認や電池交換などの不要な手間をかけさせたりするようなことにもつながることから好ましいことではない。
【００４３】
そこで、本実施の形態の放送受信録画装置１においては、以下に説明するコントロール信号の受信応答の構成を採ることによって、上記した問題を回避するようにされる。
図４のフローチャートは、コントロール信号の受信に応じた、放送受信録画装置１の処理を示している。なお、この図に示す処理は、プログラムに従ってＣＰＵ１６が実行すべき処理としてみることができる。このプログラムは、前述したように、ＲＯＭ１８、フラッシュメモリ１９、あるいはＨＤＤ２１に記憶させたものをＲＡＭ１７に展開させることで、ＣＰＵ１６が実行可能となる。また、このようなプログラムは、各種記録媒体に記録させて保存させておくことが可能である。
また、図４に示す処理は、応答リモコンモードとしてＤＶＤ１，２，３の何れかが設定済みとなっている状態で行われる。応答リモコンモードについてＤＶＤ１，２，３の何れが設定されているのかを示す設定情報（応答リモコンモード設定情報）は、例えば、フラッシュメモリ１９に保持させておくようにされる。不揮発性のフラッシュメモリ１９に保持させておくことで、例えばメイン電源がオフとされた後においても、応答リモコンモードの設定内容を維持できる。
【００４４】
先ず、ステップＳ１０１においては、コントロール信号受信部２８によりコントロール信号の受信を検知する。すると、続くステップＳ１０２により、放送受信録画装置１の本体側に設定されている応答リモコンモードを認識する。このためには、例えば上記のようにしてフラッシュメモリ１９に保持させている応答リモコンモード設定情報にアクセスして、その内容を参照するようにされる。
【００４５】
次のステップＳ１０３においては、先のステップＳ１０１により今回受信したコントロール信号のリモコンモード（リモートコントローラ３０側で設定される送信リモコンモードに対応する）を例えば次のようにして認識するようにされる。
【００４６】
コントロール信号は、リモートコントローラ３０にて生成されたコマンドコードをキャリア変調して無線送信される信号であり、コントロール信号受信部２８にて受信されることで、コマンドコードに復調される。このコマンドコードの構造概念を図５に示す。
この図に示すように、コマンドコードは、カテゴリ、モード、キーの各コードが連結されて形成される。カテゴリは、コマンドコードの送受信側が対応すべき機器のカテゴリを示すコードを格納する。ここでのカテゴリは、例えばテレビジョン受像機、ＤＶＤ記録再生装置などの分類に応じたものとなる。モードは、上記カテゴリにより示される範囲におけるリモコンモードを示すコードを格納する。本実施の形態のリモートコントローラ３０の場合であれば、このモードとしては、リモコンモードＤＶＤ１，ＤＶＤ２，ＤＶＤ３の何れかであることを示すコードを格納することになる。キーには、本来のコマンドとしてのコードを格納する。
例えば、本実施の形態に対応するリモートコントローラ３０において、送信リモコンモードとしてＤＶＤ１が設定された状態で、ＤＶＤ再生を指示するための操作を行ったとする。これに応じて送信出力されるコントロール信号のコマンドコードとしては、カテゴリがＤＶＤを示し、モードは、ＤＶＤ１であることを示し、キーが、ＤＶＤの再生を指示するコマンド内容を示す。
【００４７】
コマンドコードがこのような構造であることに基づいて、ステップＳ１０３の処理としては、コントロール信号を受信復調して得たコマンドコードのカテゴリ、モードを参照する。これにより、コマンドコードが対応するリモコンモードを認識することが可能になる。
【００４８】
そして、次のステップＳ１０４においては、上記ステップＳ１０２とステップＳ１０３のリモコンモードの認識結果を利用して、受信したコントロール信号(コマンドコード)のリモコンモードと、放送受信録画装置１本体側にて設定される応答リモコンモードとについて比較を行い、同じリモコンモードで一致しているか否かについての判別を行う。
【００４９】
上記ステップＳ１０４において肯定の判別結果が得られたのであれば、ステップＳ１０５に進む。ステップＳ１０５では、コマンド応答処理を実行する。つまり、コントロール信号を受信復調して取得したコマンドコードのキーが示すコマンド内容に応じた動作が得られるように制御処理を実行する。
これに対してステップＳ１０４において否定の判別結果が得られたのであれば、ステップＳ１０６に進む。ステップＳ１０６においては、現在放送受信録画装置１にて設定されている応答リモコンモードが何であるのかを示す表示が、表示部２９にて一定時間行われるように制御する。実際としては、例えば表示部２９において、通常は再生時間などを表示するための所定数のグリッド列のうちから、必要数のグリッドを使用して、「ＤＶＤ１」などのように表示する。この表示を、例えば数秒程度の一定時間実行させる。
【００５０】
このようにして、本実施の形態の放送受信録画装置１では、自身に設定されている応答リモコンモードと、受信したコントロール信号のリモコンモードとが異なっている場合には、表示部２９に対して、自身に設定されている応答リモコンモードを示す表示を行うようにしている。このとき、ユーザから見れば、放送受信録画装置１は、ユーザが意図するようなリモートコントローラ３０の操作に応答した動作は実行しないが、代わりに、表示部２９に対して、その放送受信録画装置１にて設定されているリモコンモードが何であるのかが表示されていることになる。これにより、ユーザとしては、先ず、警告的な表示が放送受信録画装置１側にて行われていることで、リモートコントローラ３０にて設定されている送信リモコンモードは、放送受信録画装置１にて設定されている応答リモコンモードとは違っていることを認識できる。そのうえで、放送受信録画装置１に設定されているリモコンモードを認識できるので、リモートコントローラ３０側の送信リモコンモードの設定を即座に正しく設定し直せる。このようにして、ステップＳ１０６の処理による。応答リモコンモードを示す表示は、リモートコントローラ３０側と放送受信録画装置１との間で設定されているリモコンモードが違っていることと、放送受信録画装置１側にて実際に設定されているリモコンコードとを通知する機能を持っている。
【００５１】
また、ステップＳ１０６による応答リモコンモードを示す表示は、表示部２９に対して一時的に行うようにしている。表示部２９は、例えば前述したＤＶＤ再生などに関連して、再生状況などを表示するために設けられているものである。本実施の形態では、このようにして、本来的には、リモコンモード表示とは別の目的で備えられる表示手段を利用して表示を行うようにしており、これにより、リモコンモードを定常的に表示する構成を省略したことのコストやデザイン的な利点を損なわないようにしている。
【００５２】
なお、本願発明としては、これまでに説明した実施の形態の構成に限定されない。
例えば、ステップＳ１０６によるリモコンモードを示す表示は、例えばディスプレイ２６にて表示されている画像に対して重畳させるようにして行うことも考えられる。ディスプレイ２６に対する表示出力機能も、例えば受信画像や再生画像の表示を本来は目的としているものである。
さらには、機器によっては、受信したコントロール信号のリモコンモードが、応答リモコンモードと一致していないことの通知を、音声出力などにより行う構成を採ることも考えられる。
また、上記実施の形態では、放送受信録画装置を例に挙げているが、これ以外で、リモートコントローラにより操作が可能とされる各種の電子機器に対して本願発明は適用できる。
また、コントロール信号のコマンドコードなども、図５に示した構造は一例であり、他の構造も考えられる。そして、コマンドコードの構造等に応じて、受信したコントロール信号のリモコンモードと、本体側の王とコマンドモードとの一致の比較を行う処理についても、先に説明した以外のものを考えることができる。
【図面の簡単な説明】
【００５３】
【図１】本発明の実施の形態としての放送受信録画装置の構成例を示すブロック図である。
【図２】実施の形態のリモートコントローラに備えられるもので、送信リモコンモードを切り換える操作子部分を示す図である。
【図３】リモートコントローラと複数台のリモコン対応機器との間でのリモコンモード設定に応じた動作例を示す図である。
【図４】コントロール信号の受信に応じた、放送受信録画装置１の処理を示すフローチャートである。
【図５】コマンドコードの構造例を示す図である。
【符号の説明】
【００５４】
１  放送受信録画装置、１０  アンテナ、１１  チューナ、１２  復調器、１３  デマルチプレクサ、１４  ビデオデコーダ、１５  オーディオデコーダ、１６  ＣＰＵ、１７  ＲＡＭ、１８  ＲＯＭ、１９  フラッシュメモリ、２０  ＤＶＤドライブ、２１  ＨＤＤ、２２  バス、２３  操作部、２５  ＤＶＤ、２６  ディスプレイ、２７  スピーカ、２８  コントロール信号受信部、２９  表示部、３０  リモートコントローラ
【図１】
2007074515.tif 000003
【図２】
2007074515.tif 000004
【図３】
2007074515.tif 000005
【図４】
2007074515.tif 000006
【図５】
2007074515.tif 000007